(57)【要約】【課題】ＬＥＤランプのグローブに結露が発生するのを防止することを目的とする。【解決手段】ＬＥＤチップ１２を実装したモジュール基板１３を放熱体１１の一端に固定し、モジュール基板１３を覆うように透明又は半透明のグローブ１４を放熱体１１に取付け、放熱体１１の他端側に口金１５を取り付け、ＬＥＤチップ１２に電力を供給する点灯回路１６を放熱体１１に内蔵し、点灯回路１６と口金１５を電気的に接続したＬＥＤランプ１０であって、グローブ１４の内外を連通する貫通穴１４ｂをグローブ１４に形成する。貫通穴１４ｂを介してグローブ１４の内外が連通されるので、グローブ１４内の空気とグローブ１４外の空気との温度差が減少し、グローブ１４に結露が発生するのを防止できる。【選択図】図１
2013069599.tif 000002
【特許請求の範囲】
【請求項１】
ＬＥＤチップを実装したモジュール基板を放熱体の一端に固定し、モジュール基板を覆うように透明又は半透明のグローブを放熱体に取り付け、放熱体の他端側に口金を取り付け、ＬＥＤチップに電力を供給する点灯回路を放熱体に内蔵し、点灯回路と口金を電気的に接続したＬＥＤランプであって、
グローブの内外を連通する貫通穴をグローブに形成したことを特徴とするＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属性放熱体の一端に固定し、モジュール基板を覆うように透明又は半透明のグローブを放熱体に取付け、放熱体の他端側に口金を取り付け、ＬＥＤチップに電力を供給する点灯回路を放熱体に内蔵し、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
この種のＬＥＤランプを浴室のように湿気の多い場所で、あるいは、雨天時のように湿気の多い時に点灯すると、放熱体によって暖められたグローブ内の空気とグローブ外の冷気との温度差に起因してグローブに結露が発生して内部が曇ることがある。
【０００５】
本発明はかかる問題点に鑑み、ＬＥＤランプのグローブに結露が発生するのを防止することを目的とする。
【課題を解決するための手段】
【０００６】
請求項１に記載の発明は、ＬＥＤチップを実装したモジュール基板を放熱体の一端に固定し、モジュール基板を覆うように透明又は半透明のグローブを放熱体に取付け、放熱体の他端側に口金を取り付け、ＬＥＤチップに電力を供給する点灯回路を放熱体に内蔵し、点灯回路と口金を電気的に接続したＬＥＤランプであって、
グローブの内外を連通する貫通穴をグローブに形成したことを特徴とする。
【発明の効果】
【０００７】
本発明によれば、貫通穴を介してグローブの内外が連通されるので、グローブ内の空気とグローブ外の空気との温度差が減少し、グローブに結露が発生するのを防止できる。
【図面の簡単な説明】
【０００８】
【図１】本発明の第１実施例に係るＬＥＤランプを示す断面図である。
【図２】本発明の第２実施例に係るＬＥＤランプを示す断面図である。
【図３】本発明の第３実施例に係るＬＥＤランプを示す断面図である。
【図４】本発明の第４実施例に係るＬＥＤランプを示す斜視図である。
【実施例１】
【０００９】
以下に本発明を図面に基づき説明するに、図１には本発明の第１実施例に係るＬＥＤランプ１０が示されている。当該ＬＥＤランプ１０はアルミニウム製の放熱体１１、ＬＥＤチップ１２を実装したモジュール基板１３、半透明のガラス製または樹脂製のドーム形グローブ１４、口金１５及びＬＥＤチップ１２に電力を供給する点灯回路１６を備えている。
【００１０】
放熱体１１は逆円錐台形の外観を有し、外周部には表面積を増加して放熱効果を高めるため多数のフィン１１ａが形成されている。放熱体１１の上端面には、モジュール基板１３が固定されている。また放熱体１１の内部には、点灯回路１６が内蔵され、モジュール基板１３と点灯回路１６がリード線１７で接続されている。放熱体１１の下端部には口金１５が装着されている。そして、点灯回路１６と口金１５がリード線で電気的に接続されている。
【００１１】
放熱体１１の上端面にはモジュール基板１３を取り囲むように２本のリング凸条１１ｂ，１１ｃが形成され、両リング凸条１１ｂ，１１ｃによってリング溝１１ｄが形成されている。このリング溝１１ｄにグローブ１４の下端開口端部が嵌合し、接着剤によって放熱体１１に固着されている。このグローブ１４はモジュール基板１３を覆うように放熱体１１に取り付けられている。また、グローブ１４の胴部１４ａには複数個の貫通穴１４ｂが形成され、貫通穴１４ｂによってグローブ１４の内外が連通されている。
【００１２】
第１実施例に係るＬＥＤランプ１０の構造は以上の通りであって、貫通穴１４ｂを介してグローブ１４の内外を空気が出入りするので、グローブ１４内の空気とグローブ１４外の空気との温度差が減少し、湿気が多くてもグローブ１４に結露が発生するのを防止できる。
【実施例２】
【００１３】
本発明の第２実施例に係るＬＥＤランプ２０を図２に示す。当該ＬＥＤランプ２０のグローブ２１にはグローブ２１の半球状の頂部２１ａの中心に貫通穴２１ｂが形成されている。
【００１４】
第２実施例に係るＬＥＤランプ２０によれば、グローブ２１の頂部２１ａに貫通穴２１ｂを形成したので、グローブ２１内で暖められ、半球状の頂部２１ａに沿って上昇する空気が頂部２１ａの中心の貫通穴２１ｂから速やかに流出する。そのため、短時間でグローブ２１内外の空気の温度差が減少し、結露の発生を防止できる。
【実施例３】
【００１５】
本発明の第３実施例に係るＬＥＤランプ３０を図３に示す。当該ＬＥＤランプ３０のグローブ３１には、グローブ３１の基部に複数個の貫通穴３１ａが形成されている。
【００１６】
第３実施例に係るＬＥＤランプ３０によれば、グローブ３１の基部に貫通穴３１ａを形成したので、貫通穴３１ａが目立たない。従って、貫通穴３１によりグローブ３１の外観が損なわれない。
【実施例４】
【００１７】
本発明の第４実施例に係るＬＥＤランプ４０を図４示す。当該ＬＥＤランプ４０のグローブ４１には、グローブ４１の下端開口端面に切り欠き部４１ａを形成することにより貫通穴４１ａが形成されている。
【００１８】
第４実施例に係るＬＥＤランプ４０によれば、第３実施例に係るＬＥＤランプ３０と同様に貫通穴４１ａが目立たないので、貫通穴４１ａによりグローブ４１の外観が損なわれない。
なお、第２、第３、第４実施例に係るＬＥＤランプの他の構成は第１実施例に係るＬＥＤランプと同じであるので、同一の構成要素に同一の符号を付して説明を省略する。
【符号の説明】
【００１９】
１０，２０，３０，４０…ＬＥＤランプ
１１…放熱体
１２…ＬＥＤチップ
１３…モジュール基板
１４，２１，３１，４１…グローブ
１４ｂ，２１ｂ，３１ａ，４１ａ…貫通穴
１５…口金
１６…点灯回路
【図１】
2013069599.tif 000003
【図２】
2013069599.tif 000004
【図３】
2013069599.tif 000005
【図４】
2013069599.tif 000006